(57)【要約】  本発明は、コネクタボディ（５）を有するプラグコネクタ（２）に関するものであって、コネクタボディ（５）が環状空間（２２）を有し、その環状空間がプラグコネクタ（２）のスリーブ形状の第１のジャケット部分（１０）とスリーブ形状の第２のジャケット部分（１３）の間に位置している。コネクタボディ（５）の第１のジャケット部分（１０）は、第１の終端部分（１４）において第１の前壁部分（１５）によって第２のジャケット部分（１３）と結合されている。第１及び第２のジャケット部分（１０、１３）は第２の終端部分（２３）において互いに対して開放している。第１のジャケット部分（１０）内と第２のジャケット部分（１３）内に、少なくとも２つの貫通開口部（３３）が形成されており、それらはロック部材（６）を収容するために設けられている。コネクタボディ（５）内の第１のジャケット部分（１０）と第２のジャケット部分（１３）の間に補強部材（７）が挿入され、補強部材（７）が少なくとも、貫通開口部（３３）の１つの領域内に配置されている。
2018529908.tif 000002
【特許請求の範囲】
【請求項１】
液状又はガス状の媒体用の導管を接続するためのプラグコネクタ（２）であって、
コネクタボディ（５）を有し、該コネクタボディ（５）が環状空間（２２）を有し、該環状空間が、横断面内でプラグコネクタ（２）の中央の長手軸線（８）を包囲するスリーブ形状の第１のジャケット部分（１０）と、横断面内でプラグコネクタ（２）の中央の長手軸線（８）を包囲するスリーブ形状の第２のジャケット部分（１３）との間に位置し、
前記第１のジャケット部分（１０）が前記第２のジャケット部分（１３）によって包囲され、かつ前記コネクタボディ（５）の前記第１のジャケット部分（１０）が第１の終端部分（１４）において第１の前壁部分（１５）によって前記第２のジャケット部分（１３）と結合され、
前記第１及び第２のジャケット部分（１０、１３）が第２の終端部分において互いに対して開放し、前記第１のジャケット部分（１０）内と前記第２のジャケット部分（１３）内に少なくとも２つの貫通開口部（３３）が形成され、該貫通開口部がロック部材（６）を収容するために設けられ、該ロック部材（６）が前記プラグコネクタ（２）を相手側コネクタ（３）に対して固定する、プラグコネクタにおいて、
前記コネクタボディ（５）内の第１のジャケット部分（１０）と第２のジャケット部分（１３）の間に補強部材（７）が挿入されている、ことを特徴とするプラグコネクタ。
【請求項２】
前記補強部材（７）が少なくとも貫通開口部（３３）の一つの領域内に配置されている、ことを特徴とする請求項１に記載のプラグコネクタ。
【請求項３】
前記補強部材（７）が少なくとも１つの切り欠き（３４）を有しており、該切り欠きが少なくとも部分的に前記貫通開口部（３３）の１つに対応している、ことを特徴とする請求項１又は２に記載のプラグコネクタ。
【請求項４】
前記コネクタボディ（５）が４つの貫通開口部（３３）を有しており、該貫通開口部が前記ロック部材（６）によって貫通されるように形成され、前記補強部材（７）の少なくとも１つの切り欠き（３４'）が前記貫通開口部（３３）の少なくとも１つと等しく形成され、それによって共通の前記貫通開口部（３５）が形成されている、ことを特徴とする請求項３に記載のプラグコネクタ。
【請求項５】
前記補強部材（７）の少なくとも１つの切り欠き（３４）が対応する前記貫通開口部（３３）よりも小さく形成されている、ことを特徴とする請求項３又は４に記載のプラグコネクタ。
【請求項６】
前記補強部材（７）がスリーブセグメントとして形成されている、ことを特徴とする請求項１〜５の何れか一項に記載のプラグコネクタ。
【請求項７】
前記第１のジャケット部分（１０）の外径（３０）が、前記補強部材（７）の内径（３１）と等しい大きさである、ことを特徴とする請求項１〜６の何れか一項に記載のプラグコネクタ。
【請求項８】
前記第２のジャケット部分（１３）に少なくとも１つの条溝（３６）が形成され、前記条溝によって前記補強部材（７）が径方向に固定されている、ことを特徴とする請求項１〜７の何れか一項に記載のプラグコネクタ。
【請求項９】
前記コネクタボディ（５）が第１の材料から形成され、前記補強部材（７）が第２の材料から形成されており、該第２の材料が前記第１の材料よりも高い剛性を有している、ことを特徴とする請求項１〜８の何れか一項に記載のプラグコネクタ。
【請求項１０】
請求項１〜９の何れか一項に記載のプラグコネクタを形成する方法において、
第１の方法ステップにおいて、コネクタボディ（５）が形成されて、該コネクタボディ（５）に貫通開口部（３３）が選択的に形成され、
第２の方法ステップにおいて、前もって補強部材（７）が形成され、
他の方法ステップにおいて、前記補強部材（７）が、前記コネクタボディ（５）内へ軸方向に挿入され、該コネクタボディ（５）内に位置決めされる、ことを特徴とするプラグコネクタを形成する方法。
【請求項１１】
他の方法ステップにおいて、前記コネクタボディ（５）と前記補強部材（７）とが共通に打ち抜かれることによって共通の貫通開口部（３５）が形成される、ことを特徴とする請求項１０に記載の方法。
【発明の詳細な説明】
【技術分野】
【０００１】
本発明は、液状又はガス状の媒体用の導管を接続するためのプラグコネクタ及びこの種のプラグコネクタを形成する方法に関する。
【背景技術】
【０００２】
特許文献１からは、種概念に基づく自動車用のプラグコネクタが知られている。液状又はガス状の媒体用の導管を接続するためのプラグコネクタは、差し込み開口部を備えたスリーブを有している。差し込み開口部内へ短管を差し込むことができる。さらに、プラグコネクタは、スリーブの少なくともその周面の一部を包囲する係止ばねを有しており、その係止ばねは、プラグコネクタと結合された短管を係止するための係止位置と、スリーブに対して係止された解放位置との間で変位可能であって、その解放位置において短管との係止が解除されて、短管はスリーブの差し込み開口部から引き出すことができる。係止ばねは、少なくともその係止位置において、その長手方向の、短管と係止可能な少なくとも１つの部分にわたって、スリーブの貫通開口部を介して、スリーブによって包囲される内部空間内へ張り出す。さらに、そしてその場合に係止ばねは、その係止された解放位置において、スリーブの保持突出部の後方の係止ばねの少なくとも１つの係止位置において、スリーブの保持凹部内へ係止される。保持突出部は、保持凹部に対してスリーブの軸方向に張り出す。
【０００３】
特許文献１のプラグコネクタは、力が加わる場合に係止ばねの領域内で容易に損傷することがあり得る。
【先行技術文献】
【特許文献】
【０００４】
【特許文献１】欧州特許出願公開第２３６０４１１（Ａ１）号明細書
【発明の概要】
【発明が解決しようとする課題】
【０００５】
本発明の課題は、従来技術の欠点を克服して、構成要素破断に対する向上した安全性を有する装置及びこの種の装置を形成する方法を提供することである。
【課題を解決するための手段】
【０００６】
この課題は、請求項１に記載の装置及び請求項９に記載の方法によって解決される。
【０００７】
本発明に係る装置は、自動車用のプラグコネクタであって、コネクタボディを有し、そのコネクタボディが環状空間を有し、その環状空間は、横断面内にプラグコネクタの中央の長手軸線を包囲するスリーブ形状の第１のジャケット部分と、横断面内にプラグコネクタの中央の長手軸線を包囲するスリーブ形状の第２のジャケット部分との間に位置している。第１のジャケット部分が第２のジャケット部分によって包囲されており、かつコネクタボディの第１のジャケット部分は、第１の終端部分において第１の前壁部分によって第２のジャケット部分と結合されている。これらジャケット部分は、第２の終端部分において互いに対して開放している。第１のジャケット部分内と第２のジャケット部分内に少なくとも２つの貫通開口部が形成されており、それらはロック部材を収容するために用いられ、そのロック部材は相手側コネクタ３に対してプラグコネクタを固定するために設けられている。コネクタボディ内の第１のジャケット部分と第２のジャケット部分の間に補強部材が挿入されており、その場合に補強部材は少なくとも、貫通開口部の１つのものの領域内に配置されている。
【０００８】
プラグコネクタの本発明に係る形成の利点は、特にロック部材を収容するための貫通開口部の領域内で補強部材によってコネクタボディが補強されることにある。したがって補強部材によって、貫通開口部の意図されない拡幅を防止することができる。特にそれによって、プラグコネクタと相手側コネクタ３との間の結合が、自動車の寿命にわたって可能なかぎり高い強度と密閉性を有することを、保証することができる。
【０００９】
さらに、補強部材が少なくとも１つの切り欠きを有し、その切り欠きが少なくとも部分的に貫通開口部の１つと対応していると、効果的であり得る。その場合に好ましくは、補強部材の切り欠きがコネクタボディ内の貫通開口部を補強することができる。
【００１０】
さらに、コネクタボディが４つの貫通開口部を有することができ、それらがロック部材によって貫通されるように形成されており、その場合に補強部材の少なくとも１つの切り欠きが、貫通開口部の少なくとも１つと等しく形成されており、かつそれによって共通の貫通開口部が形成される。その場合に好ましくは、共通の開口部は打ち抜き工程によって形成することができ、その場合に補強部材とコネクタボディが一緒に打ち抜かれる。したがって、補強部材内の切り欠きとコネクタボディ内の貫通開口部が等しく重なることが、保証される。さらに、共通の打ち抜き工程によって、補強部材とコネクタボディが形状結合で互いに入り組んでくさび止めされる。というのは、打ち抜き工程の際に打ち抜きばりが形成されるからである。
【００１１】
さらに、補強部材の少なくとも１つの切り欠きは、それに対応する貫通開口部よりも小さく形成することができる。その場合に好ましくは、それによって載置面を形成することができ、かつロック部材が解放位置においてこの載置面に載ることができる。
【００１２】
補強部材がスリーブセグメントとして形成されている、形態も効果的である。その場合に好ましくは、補強部材はシート細片から打ち抜くことができ、次にスリーブセグメントに変形することができる。スリーブセグメントと称されるのは、一周して形成されておらず、周の部分のみにわたって延びているスリーブである。スリーブセグメントを使用する代わりに、閉成されたスリーブを使用することもできる。
【００１３】
展開によれば、第１のジャケット部分の外径が、補強部材の内径と等しい大きさであることが可能である。その場合に好ましくは、補強部材は第１のジャケット部分に添接し、したがってそれを補強することができる。
【００１４】
さらに、第２のジャケット部分内に条溝が形成されており、それによって補強部材が径方向に固定されていると、効果的であり得る。条溝によって、補強部材を第１のジャケット部分と第２のジャケット部分の間に挟持することができる。
【００１５】
さらに、コネクタボディが第１の材料から、補強部材が第２の材料から形成され、その場合に第２の材料が第１の材料よりも高い剛性を有するようにすることができる。その場合に好ましくは、補強部材のために、高い剛性と場合によっては小さい変形能力を有する材料を使用することができる。コネクタボディのためには、コネクタボディの複雑な幾何学配置を形成することができるようにするために、高い変形能力を有する材料を使用することができる。
【００１６】
コネクタボディを形成する方法において、第１の方法ステップにおいてコネクタボディが形成されて、選択的にコネクタボディに貫通開口部が形成される。他の方法ステップにおいて、前もって補強部材が形成される。他の方法ステップにおいては、補強部材がコネクタボディ内へ軸方向に挿入されて、コネクタボディ内で位置決めされる。本発明に係る方法において好ましくは、補強部材が前もって専用の方法ステップにおいて形成することができ、したがって補強部材はコネクタボディに関係なく形成することができる。
【００１７】
他の方法ステップにおいて、コネクタボディと補強部材は共通に打ち抜くことができ、それによって共通の貫通開口部が形成される。したがって、補強部材内の切り欠きとコネクタボディ内の貫通開口部が等しく重なることが、保証されている。さらに、共通の打ち抜き工程によって、補強部材とコネクタボディが形状結合で互いに入り組んでくさび止めされることを、保証することができる。というのは、打ち抜き工程において、打ち抜きばりが形成されるからである。
【００１８】
本発明をさらによく理解するために、以下の図を用いて本発明を詳細に説明する。
図は、それぞれ著しく図式化された表示である。
【図面の簡単な説明】
【００１９】
【図１】プラグコネクタの実施変形例を４分の１カットで示す斜視図である。
【図２】プラグコネクタの実施例の横断面を、ロック部材の領域内の切断ガイドをもって示している。
【図３】プラグコネクタをコネクタの中央の長手軸線に沿った切断ガイドをもって示す断面図である。
【図４】プラグコネクタを示す分解斜視図である。
【図５】プラグコネクタを示す斜視図であって、ロック部材は係止位置にある。
【図６】ロック部材の詳細を示す図であって、ロック部材は係止位置にある。
【図７】プラグコネクタの斜視図であって、ロック部材は解放位置にある。
【図８】ロック部材の詳細を示す図であって、ロック部材は解放位置にある。
【発明を実施するための形態】
【００２０】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００２１】
図１は、プラグコネクタ２を有するコネクタアッセンブリ１を斜視図で示しており、その場合にこれは、４分の１カットで切断して示される。さらに、図１には、コネクタアッセンブリ１と結合可能な、相手側コネクタ３が図式的に示されている。コネクタアッセンブリ１と相手側コネクタ３の間の協働は、オーストリア国特許第５０９１９６Ｂ１（ＡＴ５０９１９６Ｂ１）号明細書においてずっと以前から知られている。
【００２２】
さらに、パイプ４が図式的に示されており、そのパイプにプラグコネクタ２を結合することができる。パイプ４は、たとえば、プラスチックパイプのような、ソリッドの部材とすることができる。他の実施変形例においては、パイプ４はゴム材料からフレキシブルな導管として形成することができる。
【００２３】
プラグコネクタ２は、コネクタボディ５を有しており、そのコネクタボディは好ましくは、特に特殊鋼シートから、一体的な変形部品として、たとえば深絞り部品として、形成されている。
【００２４】
コネクタアッセンブリ１は、好ましくは自動車内に、特に内燃機関を備えた、道路結合の自動車、たとえば乗用車又は貨物車に使用される。
【００２５】
もちろん、コネクタアッセンブリ１を内燃機関と共にその他の適用において使用することも、考えられる。これは、たとえば、固定のアグリゲート内、船舶エンジン内、航空機エンジン内、建設機械内などにおけるコネクタアッセンブリ１の使用とすることができる。
【００２６】
具体的に、コネクタアッセンブリ１は、新鮮空気供給の種々の構成要素を内燃機関へ結合するために使用することができる。たとえば、プラグコネクタ２を対応する相手側コネクタ３と共に、ターボチャージャの吸気領域内で２つの部分を結合するために設けることができる。さらに、たとえば、この種のコネクタアッセンブリ１を、ターボチャージャから出てくる圧力側において２つの構成部分を結合するために使用することもできる。
【００２７】
図２は、プラグコネクタ２の横断面を示しており、その場合に切断ガイドは、プラグコネクタ２と相手側コネクタ３を互いに対して固定するために、プラグコネクタ２内に組み込まれたロック部材６が見えるように、選択されている。
【００２８】
ロック部材６は、容易に作動及び非作動にさせることができるように構成されているので、プラグコネクタ２と相手側コネクタ３は、必要に応じて互いに分離もしくは結合することができる。ロック部材６は、係止位置へ移動させることができ、その係止位置においてプラグコネクタ２と相手側コネクタ３は、互いに固定されている。さらに、ロック部材６は、解放位置へ移動させることができ、その解放位置において相手側コネクタ３はプラグコネクタ２内へ挿入することができ、もしくはそこから取り出すことができる。
【００２９】
さらに図２から明らかなように、コネクタボディ５内へ補強部材７が挿入されており、その補強部材は、コネクタボディ５の剛性を改良するために用いられる。補強部材７は、図２からよくわかるように、スリーブセグメントとして形成することができ、したがって周面にわたって見て開放した中間片を有することができる。他の実施変形例において、補強部材７はスリーブとして形成することができ、したがって閉成された周面を有することができる。
【００３０】
図３は、プラグコネクタ２の中央の長手軸線８に沿ってコネクタアッセンブリ１の断面を示している。
【００３１】
図３においてよくわかるように、プラグコネクタ２はコネクタボディ５の他にコネクタシール９を有することができ、そのコネクタシールはコネクタボディ５内に収容されている。コネクタシール９は、プラグコネクタを相手側コネクタ３と組み合わせた状態において充分に密閉することができるようにするために、用いられる。
【００３２】
図３において明らかなように、コネクタボディ５には第１のジャケット部分１０が形成されており、そのジャケット部分はプラグコネクタ２の中央の長手軸線８をスリーブ形状に包囲する。他の言葉で表現すると、第１のジャケット部分１０は、回転対称の中空円筒である。
【００３３】
第１のジャケット部分１０は、内側に位置するジャケット面１１と外側に位置するジャケット面１２とを有している。第１のジャケット部分１０が第２のジャケット部分１３を包囲し、その第２のジャケット部分は同様に中央の長手軸線８に関して回転対称に形成されている。第１のジャケット部分１０は、第１の終端部分１４において第１の前壁部分１５によって第２のジャケット部分１３と結合されている。第１の前壁部分１５は、様々に形成することができる。特に、第１の前壁部分１５６は折りたたみの形式で形成することができ、その場合に第２のジャケット部分１３は第１のジャケット部分１０に対して約１８０°折り返されており、それによって第２のジャケット部分１３が第１のジャケット部分１０を包囲するように配置されている。
【００３４】
第１のジャケット部分１０と同様に、第２のジャケット部分１３も内側に位置するジャケット面１６と外側に位置するジャケット面１７とを有している。
【００３５】
第１のジャケット部分１０は、その内側に位置するジャケット面１１と外側に位置するジャケット面１２とによって画成され、それによって第１のジャケット部分１０の壁厚１８が生じる。第２のジャケット部分１３は、同様に内側に位置するジャケット部分１６と外側に位置するジャケット部分１７とによって画成され、それによって第２のジャケット部分１３の壁厚１９が生じる。
【００３６】
第１のジャケット部分１０は、図示の実施例において段付きで形成されている。その場合に、プラグコネクタ２の第１の終端部分１４の対向する側において、第１のジャケット部分１０にシール収容部２０が連続することができ、そのシール収容部は同様にコネクタボディ５内に形成されている。このようなシール収容部２０内に、コネクタシール９を収容することができる。さらに、シール収容部２０に第３のジャケット部分２１が連続することができ、その第３のジャケット部分が第２のジャケット部分１３と共に、パイプ４を収容するための環状空間２２を形成する。
【００３７】
第２のジャケット部分１３と第３のジャケット部分２１は、プラグコネクタ２の第１の終端部分２３において互いに対して開放しており、それによってコネクタボディ５のパイプ収容側２４が生じる。
【００３８】
第３のジャケット部分２１が第２の終端部分２３の領域内に面取り２５を有することができ、その面取りはパイプ収容側２４に形成されている。このような面取り２５は、パイプ４又はパイプ４を密閉するために使用されるシール部材が挿入方向２６において環状空間２２内へ容易に挿入できる、という利点をもたらす。さらに、第２のジャケット部分２３がこのような面取り２７を有することもできるので、パイプ４も環状空間２２内へ容易に挿入することができる。次に、パイプ４がコネクタボディ５とプレスされるので、２つの構成要素がユニットを形成する。
【００３９】
面取り２５、２７は、たとえばしかるべき半径をもってフランジ形成することにより、あるいは拡幅することによって実現することができ、好ましくは深絞り工程の間に形成される。
【００４０】
好ましくは、コネクタボディ５は深絞り方法によって形成され、その場合にコネクタボディ５のジャケット部分の全壁厚は、ほぼ等しい大きさである。
【００４１】
図３の表示において明らかなように、シール収容部２０が前壁２８を有し、その前壁が第３のジャケット部分２１に連続していると、好ましい場合もある。前壁２８によって、特にコネクタシール９のための収容凹部を形成することができる。
【００４２】
第１のジャケット部分１０は、外径３０と軸方向の延び２９とを有している。補強部材７の内径３１は、好ましくは、第１のジャケット部分１０の外径３０とほぼ等しい大きさに選択されている。
【００４３】
プラグコネクタ２は、第１のジャケット部分１０の領域内に収容室３２を有している。収容室３２は、第１のジャケット部分１０によって包囲され、かつ相手側コネクタ３の一部分を収容するために用いられる。
【００４４】
コネクタボディ５は、周方向に互いに離隔した複数の貫通開口部３３を有しており、それらも同様に第１のジャケット部分１０の領域内に配置されている。ロック部材が差し込まれて係止された状態において占める、ロック部材６の係止位置において、ロック部材６はそれぞれの貫通開口部３３を通して収容室３２内へ張り出す。この部分内でロック部材６が、相手側コネクタ３の係止ショルダーのロック面と協働する。
【００４５】
図３からは、さらに、補強部材７が切り欠き３４を有しており、その切り欠きが貫通開口部３３の１つと関連し、したがってロック部材６を補強部材７に挿通できることが、明らかである。特に、第１の種類の貫通開口部３３’と第２の種類の貫通開口部３３”が形成されることが、考えられる。それと関連して、第１の種類の切り欠き３４’と第２の種類の切り欠き３４”を形成することができる。
【００４６】
特に、補強部材７の切り欠き３４”とコネクタボディ５の貫通開口部３３”が、少なくとも部分的に同一の外側輪郭を有することができ、もしくは互いに等しく配置することができる。
【００４７】
特に貫通開口部３３’と切り欠き３４’は、全体として等しく形成することができ、それによって共通の貫通開口部３５が生じる。
【００４８】
図２と３を一緒に見ると明らかなように、さらに、コネクタボディ５の第２のジャケット部分１３内に１つ又は複数の条溝３６を形成することができ、その条溝によって補強部材７を第１のジャケット部分１０と第２のジャケット部分１３との間の間隙内に挟持することができる。条溝３６によって、補強部材７を軸方向に固定することができ、もしくは径方向の締めつけによって場合によっては軸方向の位置に保持することもできる。条溝３６は、付加的に、第２のジャケット部分１３の安定性の向上に寄与することができる。
【００４９】
図４は、プラグコネクタ２の個々の構成要素を分解斜視図で示しており、その場合にここでも、先行する図１から３におけるのと同一の部分には、同一の参照符号もしくは構成部品名称が使用される。不必要な繰り返しを避けるために、先行する図１から３における詳細な説明を参照するよう指示し、もしくは参照する。
【００５０】
図４においては、ロック部材６が、たとえば４つの係止領域３７を有し、それがコネクタボディ５の貫通開口部３３を通って張り出すように形成されていることが、はっきりとわかる。したがって係止領域３７は、内側へ張り出すＶ字状の部材として形成されている。図４からさらに明らかなように、プラグコネクタ２は、さらに保持部材３８を有しており、それらは保持部材収容部３９内へ挿入されて、ロック部材６を固定するために用いられる。
【００５１】
補強部材７は、図４においてはすでにできあがって示されており、その場合に補強部材は前もって湾曲されており、かつ切り欠き３４がすでに補強部材７内に形成されている。特に、補強部材７がスリーブセグメントとして形成できることが、明らかである。さらに、たとえば２つの切り欠き３４”がスロット形状に形成できることが、明らかである。２つの切り欠き３４’は、それに対応する貫通開口部３３’と正確に同じ外側輪郭を有することができる。
【００５２】
他の図示されない実施変形例においては、切り欠き３４を設けず、あるいはあらかじめ形成されている補強部材７に部分的にのみ形成することもでき、これらは、補強部材７がコネクタボディ５内へ挿入される場合に、初めて形成されるようにすることもできる。その場合に補強部材７は、挿入された状態においてコネクタボディ５と共に打ち抜くことができる。
【００５３】
補強部材７によってコネクタボディ５を補強するために、補強部材７はコネクタボディ５よりも高い剛性を有することができる。補強部材７は、コネクタボディ５のように強く変形する必要がないので、コネクタボディ５は第１の材料から、補強部材７は第２の材料から形成されており、その場合に第２の材料は第１の材料よりも変形能力が小さい。
【００５４】
次に、プラグコネクタ２の可能な組み立てを説明する。第１の方法ステップにおいて、コネクタボディ５が平坦なシート材料から変形によって、特に深絞りによって、形成される。その場合に深絞り工程の間に、コネクタボディ５の周面に配置されている切り欠き３４もしくは３９を打ち抜くことができる。
【００５５】
他の方法ステップにおいて、補強部材７は同様に変形によってその形状にすることができる。
【００５６】
さらに、貫通開口部３３の少なくとも１つ、もしくはそれと関連する切り欠き３４は、補強部材７がすでにコネクタボディ５内に挿入されている場合には、次の打ち抜き工程において初めて形成することができる。それによって切り欠き３４と貫通開口部３３は、共通の貫通開口部３５の形状で形成することができ、その場合に打ち抜き工程によって補強部材７とコネクタボディ５は形状結合で入り組んでくさび止めされ、それによって補強部材７の軸方向の位置決めが改良される。
【００５７】
代替例において、切り欠き３４は、コネクタボディ５内へ挿入する前にすでに、補強部材７に形成しておくことができる。
【００５８】
他の方法ステップにおいて、補強部材７は挿入方向２６にコネクタボディ５内へ挿入して、その中で使用することができる。その場合に、補強部材７が、コネクタボディ５内の前壁部分１５の領域に形成されている折りたたみ領域４０内へ挿入されることが、考えられる。この折りたたみ領域４０によって径方向に細長いスリットを形成することができ、その中へ補強部材７を挿入することができる。特に、補強部材７は、折りたたみ領域４内に挟持することができる。
【００５９】
付加的に、補強部材７を軸方向及び径方向に位置決めして固定するために、条溝３６を用いることができる。これらの条溝は、前もってコネクタボディ５に形成しておくことができる。代替的な形成変形例において、条溝３６は、補強部材７を挟持することができるようにするために、補強部材７をコネクタボディ５内へ挿入した後に、形成することもできる。
【００６０】
他の方法ステップにおいて、ロック部材６をコネクタボディ５内へ挿入して、次にロック部材６を固定するために保持部材３８をコネクタボディ５内へ挿入することができる。
【００６１】
ロック部材６は保持領域４１を有しており、その保持領域においてロック部材を把持して、結合ボディ５内へ挿入することができ、かつ係止位置と解放位置との間で移動させることができる。
【００６２】
図５は、プラグコネクタ２を斜視図で示しており、その場合にロック部材６は係止位置にある。
【００６３】
図６は、ロック部材６の詳細を示す図であって、ロック部材は係止位置にある。
【００６４】
図７は、プラグコネクタ２を示す斜視図であって、ロック部材６は解放位置にある。
【００６５】
図８は、ロック部材６の詳細を示す図であって、ロック部材は解放位置にある。
【００６６】
図５から８には、プラグコネクタ２の他の、そして場合によってはそれ自体自立した実施形態が示されており、その場合にここでも、先行する図１から４におけるのと同一の部分には、同一の参照符号もしくは構成部品名称が使用される。不必要な繰り返しを避けるために、先行する図１から４における詳細な説明が参照するよう指示され、もしくは参照される。
【００６７】
ロック部材６の係止位置は、図５と６を一緒に見ることにより、そしてロック部材６の解放位置は、図７と８を一緒に見ることによって特に明らかになる。ロック部材６がその係止位置にある場合に、係止領域３７が収容室３２内へ張り出して、相手側コネクタ３がプラグコネクタ２に対して軸方向に固定される。ロック部材６がその解放位置にある場合に、係止領域３７は収容室３２内へ張り出すことはなく、相手側コネクタ３はプラグコネクタ２に対して軸方向に摺動可能である。
【００６８】
図６に明らかなように、補強部材７内の切り欠き３４はスロット形状に形成することができ、その場合にスロットは大体において、ロック部材６の直径に相当する幅を有する。それによってロック部材６を軸方向に固定することができる。
【００６９】
保持領域４１をもってロック部材６をプラグコネクタ２の長手軸線から離れるように径方向に引っ張ると、ロック部材６の幾何学配置に基づいて係止領域３７が収容室３２から抜き出される。特に、ロック部材６は、図７と８に示される解放位置へ達するまで、径方向外側へ移動される。
【００７０】
解放位置へ達する直前に、ロック部材６のガイドピン４２が保持部材３８へ当接し、それによって軸方向に方向変換されるので、ロック部材６が解放位置へ移動される。特に、保持部材３８内に面取り４３を形成することができ、その面取りによって、保持領域４１が径方向に引っ張られる際に軸方向の運動がロック部材６内へ導入される。軸方向の摺動が行われた後に、ロック部材６から手を離すことができ、その場合にガイドピン４２がコネクタボディ５に、もしくは図８において特によくわかるように、補強部材７に載置され、したがって解放位置に留まり、その場合にロック部材６は付勢されている。
【００７１】
ロック部材６を解放位置から再び係止位置へ移動させることができるようにするために、ロック部材６はわずかに軸方向に摺動することができ、かつ、ロック部材がロック部材６の切り欠き３４’内へ進入できるようになるとすぐに、ロック部材６に存在する付勢によってロック部材が自動的に係止位置へ戻り移動する。
【００７２】
実施例は、可能な実施変形例を示すものであって、その場合にここで記録しておくが、本発明は具体的に示されているその実施変形例に限定されるものではなく、むしろ個々の実施変形例の互いに対する様々な組み合わせが可能であって、これらの変形可能性は、具体的な発明により技術的に取り扱うための教示に基づいて、この技術分野で作業する当業者の裁量の範囲内にある。
【００７３】
保護領域は、請求項によって定められている。しかし請求項を解釈するために、明細書と図面が利用されるべきである。図示され、かつ説明された様々な実施例からなる個別特徴及び特徴の組み合わせは、それ自体自立した進歩的解決を表すことができる。自立した進歩的解決の基礎となる課題は、明細書から読み取ることができる。
【００７４】
具体的な説明内の値領域についてのすべての記載は、その任意の部分領域とすべての部分領域を共に含むものであって、たとえば記載１から１０は、下限の１と上限の１０から始まるすべての部分領域、すなわち下限の１またはそれ以上で始まり、上限の１０またはそれ以下で終了する、たとえば１から１．７、または３．２から８．１、あるいは５．５から１０のすべての部分領域、を一緒に含んでいるものとする。
【００７５】
最後に形式的に指摘しておくが、構造を理解しやすくするために、部材は部分的に縮尺通りでなく、かつ／又は拡大及び／又は縮小して示されている。
【符号の説明】
【００７６】
１    コネクタアッセンブリ
２    プラグコネクタ
３    相手側コネクタ
４    パイプ
５    コネクタボディ
６    ロック部材
７    補強部材
８    プラグコネクタの長手軸線
９    コネクタシール
１０    第１のジャケット部分
１１    内側に位置するジャケット面
１２    外側に位置するジャケット面
１３    第２のジャケット部分
１４    プラグコネクタの第１の終端部分
１５    前壁部分
１６    内側に位置するジャケット面
１７    外側に位置するジャケット面
１８    第１のジャケット部分の壁厚
１９    第２のジャケット部分の壁厚
２０    プラグコネクタのシール収容部
２１    第３のジャケット部分
２２    環状空間
２３    プラグコネクタの第２の終端部分
２４    パイプ収容側
２５    面取り
２６    挿入方向
２７    面取り
２８    前壁  シール収容部
２９    第１のジャケット部分の軸方向の延び
３０    第１のジャケット部分の外径
３１    内径
３２    収容室
３３    貫通開口部
３４    切り欠き
３５    共通の貫通開口部
３６    条溝
３７    係止領域
３８    保持部材
３９    保持部材収容部
４０    折りたたみ領域
４１    保持領域
４２    ガイドピン
４３    面取り
【図１】
2018529908.tif 000003
【図２】
2018529908.tif 000004
【図３】
2018529908.tif 000005
【図４】
2018529908.tif 000006
【図５】
2018529908.tif 000007
【図６】
2018529908.tif 000008
【図７】
2018529908.tif 000009
【図８】
2018529908.tif 000010
【国際調査報告】
2018529908.tif 000011
2018529908.tif 000012
2018529908.tif 000013
2018529908.tif 000014